(57)【要約】【課題】  一端部を係合するための係合部が複数形成された多段式のものにおいて、可撓性チューブに応じた係合部を表示することにより、何れの者が作業する場合であってもクランプ不良を回避することができる可撓性チューブのクランプ装置を提供する。【解決手段】  一端部２と、他端部４と、一端部２及び他端部４に連なる中間部６と、一端部２を係合させる係合部７とを具備し、可撓性チューブＴを挿通した状態にて中間部６を撓ませつつ一端部２を係合部７に係合させると、第１凸部３と第２凸部５にて可撓性チューブＴをクランプし、その部位における流体の流れを遮断する可撓性チューブのクランプ装置において、係合部７は一端部２の移動方向に沿って複数形成されるとともに、各係合部７にクランプする可撓性チューブに対応した目印を付加したものである。【選択図】図５
2006051083.tif 000002
【特許請求の範囲】
【請求項１】
第１凸部が形成された一端部と、
前記第１凸部と対向する第２凸部が形成された他端部と、
前記一端部及び他端部に連なる中間部と、
前記他端部に形成され前記一端部を係合させる係合部と、
を具備し、前記第１凸部と第２凸部との間に可撓性チューブを挿通した状態にて前記中間部を撓ませつつ前記一端部を係合部に係合させると、前記第１凸部と第２凸部とが近接して前記可撓性チューブをクランプし、その部位における流体の流れを遮断する可撓性チューブのクランプ装置において、
前記係合部は前記一端部の移動方向に沿って複数形成されるとともに、各係合部にクランプする可撓性チューブに対応した目印を付加したことを特徴とする可撓性チューブのクランプ装置。
【請求項２】
前記目印は、可撓性チューブに対応させた色を各係合部に付して色分けしたものであることを特徴とする請求項１記載の可撓性チューブのクランプ装置。
【請求項３】
前記目印は、可撓性チューブに対応させた数値又は記号を各係合部に記載したものであることを特徴とする請求項１又は請求項２記載の可撓性チューブのクランプ装置。
【発明の詳細な説明】
【技術分野】
【０００１】
本発明は、血液回路や輸液チューブ等の可撓性チューブをクランプし、その部位における流体の流れを遮断するための可撓性チューブのクランプ装置に関するものである。
【背景技術】
【０００２】
一般に透析治療等で使用される血液回路や種々チューブは、患者の血液や生理食塩水又は投与する薬剤などの流体を流動させる樹脂製の可撓性チューブで主に構成されており、このうち血液回路には、ダイアライザやドリップチャンバといった治療に必要な各構成要素間を連結して、血液等の流通路を成すものである。然るに、医療現場においては、かかる可撓性チューブの所望部位をクランプし、血液や薬剤等の流れを遮断する必要が生じる場合があり、このような場合に鉗子やクランプ装置が使用されている。
【０００３】
このうちクランプ装置は、樹脂成形品から成るものが一般に用いられており、一端部と他端部とを近接させた状態にて可撓性チューブを挿通させ、これら一端部と他端部とに連なる中間部を撓ませることにより他端部に形成された係合部に一端部を係合させることが可能とされている。こうして一端部が他端部に係合されると、各端部に向き合って形成された凸部が近接し、挿通された可撓性チューブをクランプし、その部位の流体の流れを遮断するのである。
【０００４】
ここで、従来、係合部を他端部に複数形成したものが提案されている。具体的には、図６に示すように、従来の多段式のクランプ装置１０１は、第１凸部１０３が形成された一端部１０２と、該第１凸部１０３と対向する第２凸部１０５が形成された他端部１０４と、該他端部１０４と一端部１０２とに連なる中間部１０６と、一端部１０２先端を係合するための複数の係合部１０７と、他端部１０４及び中間部１０６のそれぞれに形成されて可撓性チューブＴを挿通し得る挿通孔１０４ａ及び１０６ａとを有した一体の樹脂成形品から成る。
【０００５】
そして、挿通された可撓性チューブＴをクランプするには、一端部１０２側を押圧して中間部１０６を撓ませる（同図中２点鎖線で示した状態とする）ことにより、当該一端部１０２の先端を所望の位置の係合部１０７に係合させ、第１凸部１０３及び第２凸部１０５を近接させて可撓性チューブＴを挟持し、その部位の流体の流れを遮断し得るよう構成されている。かかる従来の多段式のクランプ装置によれば、可撓性チューブの種類（外径や肉厚が異なるもの）に対応させて所望位置の係合部１０７に一端部１０２先端を係合させ得るので、種々大きさの可撓性チューブをクランプ可能であり、係合部が１つのものに比べ、適用範囲を広めることができる。尚、かかる多段式のクランプ装置は、文献公知発明に係るものでないため、記載すべき先行技術文献情報はない。
【発明の開示】
【発明が解決しようとする課題】
【０００６】
しかしながら、上記従来の可撓性チューブのクランプ装置においては、係合部が複数形成されているため、種々大きさの可撓性チューブをクランプし得るものの、クランプ操作する者によって係合すべき係合部が異なってクランプ不良が生じてしまうという問題があった。例えば、一端部１０２を押圧して第１凸部１０３及び第２凸部１０５により可撓性チューブを挟持する際にかかる負荷が大きいと、クランプ作業する者が例えば女性等非力の者である場合、クランプが不十分な位置で一端部１０２を係合してしまう虞がある。
【０００７】
これは、多段式のクランプ装置においては係合部が複数形成されており、何れの位置においても係合可能であるため、可撓性チューブの種類（外径や肉厚が異なるもの）に対応した位置の係合部を判別することができず、クランプが不十分であるにも関わらず、それを認識することができず、クランプがなされたと認識して係合作業を終了してしまうということがあるからである。かかる場合には、流体の遮断が不十分となり、治療において種々不具合を生じる虞がある。
【０００８】
本発明は、このような事情に鑑みてなされたもので、一端部を係合するための係合部が複数形成された多段式のものにおいて、可撓性チューブに応じた係合部を表示することにより、何れの者が作業する場合であってもクランプ不良を回避することができる可撓性チューブのクランプ装置を提供することにある。
【課題を解決するための手段】
【０００９】
請求項１記載の発明は、第１凸部が形成された一端部と、前記第１凸部と対向する第２凸部が形成された他端部と、前記一端部及び他端部に連なる中間部と、前記他端部に形成され前記一端部を係合させる係合部とを具備し、前記第１凸部と第２凸部との間に可撓性チューブを挿通した状態にて前記中間部を撓ませつつ前記一端部を係合部に係合させると、前記第１凸部と第２凸部とが近接して前記可撓性チューブをクランプし、その部位における流体の流れを遮断する可撓性チューブのクランプ装置において、前記係合部は前記一端部の移動方向に沿って複数形成されるとともに、各係合部にクランプする可撓性チューブに対応した目印を付加したことを特徴とする。
【００１０】
請求項２記載の発明は、請求項１記載の可撓性チューブのクランプ装置において、前記目印は、可撓性チューブに対応させた色を各係合部に付して色分けしたものであることを特徴とする。
【００１１】
請求項３記載の発明は、請求項１又は請求項２記載の可撓性チューブのクランプ装置において、前記目印は、可撓性チューブに対応させた数値又は記号を各係合部に記載したものであることを特徴とする。
【発明の効果】
【００１２】
請求項１の発明によれば、各係合部にクランプする可撓性チューブに対応した目印を付加したので、クランプ作業者は可撓性チューブに応じた係合部に一端部先端を係合させればよく、何れの者が作業する場合であってもクランプ不良を回避することができる。
【００１３】
請求項２の発明によれば、目印が可撓性チューブに対応させた色を各係合部に付して色分けしたものであるので、作業者に対して容易に可撓性チューブに応じた係合部を判別させることができ、クランプの作業性を向上させることができる。
【００１４】
請求項３の発明によれば、目印が可撓性チューブに対応させた数値又は記号を各係合部に記載したものであるので、作業者に対して確実に可撓性チューブに応じた係合部を判別させることができ、クランプ不良をより確実に回避させることができる。
【発明を実施するための最良の形態】
【００１５】
以下、本発明の実施形態について図面を参照しながら具体的に説明する。
本実施形態に係る可撓性チューブのクランプ装置は、血液回路など流体の流通ラインを構成する可撓性チューブをクランプし、その部位における流体の流れを遮断するためのもので、図１〜図３に示すように、一端部２から中間部６を経て他端部４まで略環状に延びる一体の樹脂成形品（例えばポリプロピレンやオレフィン系樹脂、ポリアセタール又はポリエチレン等の成形品）で構成されている。
【００１６】
一端部２と他端部４とは、図１に示すように、それぞれ内側に突出形成された第１凸部３及び第２凸部５をそれぞれ有しており、これらが対向した状態にて形成されている。即ち、一端部２の先端と他端部４の先端とが、非クランプ状態において所定寸法離間した状態とされ、それらの内側に形成された第１凸部３及び第２凸部５が向かい合う如く配置することにより、かかる間隙に可撓性チューブＴを挿通可能としているのである。勿論、この状態においては、可撓性チューブ内の流体の流れは許容される。
【００１７】
他端部４は、図１に示すように、第２凸部５が形成されつつ水平方向に延びた部位と、その先端から略垂直方向に立ち上がって一端部２の先端近傍まで延びた部位とから成り、立ち上がり部位には、可撓性チューブＴを挿通するための挿通孔４ａ（図３参照）が形成されている。更に、中間部６における挿通孔４ａと対向する位置にも同様に可撓性チューブＴを挿通するための挿通孔６ａが形成されており、可撓性チューブＴは挿通孔４ａ及び挿通孔６ａに跨って挿通され、クランプ装置１の長手方向に沿って位置決めされることとなる。
【００１８】
また、他端部４の先端近傍には、一端部２の移動方向（長手方向）に複数の段形状から成る係合部７が形成されている。各係合部７はクランプ装置１の内側に向かってそれぞれ突出形成されており、これらのうち何れか任意のものに一端部２の先端が係合可能とされている。そして、クランプ作業時においては、図１中矢印方向に力を付与して中間部６を撓ませ、図４で示すように、任意の係合部７の段部に一端部２の先端が当接した状態とすることにより、当該一端部２を係合させる。即ち、一端部２の先端が係合部７の段部に当接することにより、中間部６の復元力にて一端部２の先端が他端部４から離間するのを規制し、係合した状態が維持されるのである。
【００１９】
かかる係合状態においては、一端部２に形成された第１凸部３と他端部４に形成された第２凸部５とが極めて近接した状態となり、挿通孔４ａ及び６ａに跨って配設された可撓性チューブＴを上下方向から挟持してクランプし得ることができる。即ち、第１凸部３と第２凸部５とで可撓性チューブＴを上下から押圧して変形させ、内部の流体が流れる空間を閉塞することができ、これにより、閉塞された部位における可撓性チューブＴ内の流体の流れを遮断することができるのである。
【００２０】
ここで、本実施形態においては、図５で示すように、各係合部７にクランプする可撓性チューブＴに対応した目印が付加されている。具体的には、同図に示すように、各係合部７に可撓性チューブに対応した色の塗料を塗布して色分けするとともに、それぞれに当該可撓性チューブに対応した数値が記載されてクランプ作業者が視認し得る目印を構成している。各係合部７の色は、少なくとも可撓性チューブの種類（外径や肉厚等）と対応させ、所定の可撓性チューブをクランプする際には何れの色の係合部７に一端部２を係合させればよいかを認識させるものである。
【００２１】
然るに、クランプする可撓性チューブが何色の係合部７に対応するのかは、対応表などを別途作成しておき、これに基づき認識してもよいし、可撓性チューブの種類毎に当該可撓性チューブに係合部７と対応した着色を施してもよい。可撓性チューブ側にも着色する場合、当該可撓性チューブ全体を係合部７の対応する色としてもよいし、一部に同色のテープ等を巻着させておいてもよい。尚、各係合部７への着色は、本実施形態の如く塗料を塗布してもよいし、対応させる色のテープ等を貼着させるようにしてもよい。
【００２２】
一方、記載された数値は、可撓性チューブの外径寸法（本実施形態においては３〜７ｍｍ）の値であってもよく、可撓性チューブの種類を表す記号等であってもよいが、少なくとも所定の可撓性チューブをクランプする際に何れの係合部７に一端部２を係合させればよいかをクランプ作業者に認識させる表示であればよい。尚、記載される数値は、本実施形態の如く、係合部７の内側表面及び側面の両方に記載するのが視認性を向上させる上で好ましいが、内側表面のみ或いは側面のみに記載してもよい。
【００２３】
また、色による判別と同様、可撓性チューブ側にも係合部７と対応した数値或いは記号等を記載しておくのが好ましい。数値等は、油性インキ等で直接記載してもよいし、印刷による表示或いは刻印による表示等他の表示方法としてもよい。また更に、本実施形態においては、各係合部７を可撓性チューブに対応した色分けを行いつつ数値をも記載しているが、何れか一方（即ち、各係合部が色分けのみ施されたもの、或いは数値等のみを記載したもの）としてもよい。
【００２４】
上記構成のクランプ装置によれば、例えば細径の可撓性チューブをクランプさせる際の一端部２の係合位置、太径の可撓性チューブをクランプさせる際の一端部２の係合位置が容易に判別でき、クランプ作業者による係合位置のばらつきを回避して、確実に可撓性チューブのクランプを行わせることができる。勿論、可撓性チューブの肉厚や材質によってもクランプを確実に行わせしめる一端部２の係合位置が変化するので、これを考慮した目印を各係合部７に付加するのが必要である。
【００２５】
以上、本実施形態について説明したが、本発明はこれに限定されるものではなく、例えば複数の係合部のうち所定範囲を同一の色とし、所定の可撓性チューブを確実にクランプさせ得る係合位置に幅を持たせるようにしてもよい。勿論、その所定範囲内における各係合部に対し可撓性チューブに対応した同一の数値や記号等をそれぞれ付してもよいし、当該範囲に一つ当該数値や記号等を付すようにしてもよい。また、色分けによる係合部の判別を行わせる代わりに、各係合部の明度（透明や半透明も含む）等を変化させ、クランプする可撓性チューブと対応させるようにしてもよい。尚、一端部を係合部に係合させる際に当該一端部が横にずれるのを防止する構成（一端部２を他端部４より幅広に形成しつつ当該幅広となった両縁部に他端部４の両側面と略合致し得る角部を形成して一端部２の案内及び横ずれ防止をするもの、或いは他端部４の先端部近傍の両縁に長手方向に延びる壁部を設け、該壁部にて一端部２を案内しつつ横ずれを防止するもの等）が付加されたものにも適用することができる。他端部４に形成される係合部７の係合角度は、−１０〜４０度、更には−５〜２０度程度が好ましい（但し、当該係合角度は、他端部４の長さ方向と段形状との角度（一端部上側面と他端部４の長さ方向との角）が直交のときを０とする）。
【産業上の利用可能性】
【００２６】
係合部が一端部の移動方向に沿って複数形成された多段式のものであって、各係合部にクランプする可撓性チューブに対応した目印を付加したものであれば、外観等他の形態のクランプ装置にも適用することができる。また、可撓性チューブは、血液回路等体外循環用のものに限らず、種々のもの（医療分野に限らない）に適用することができる。
【図面の簡単な説明】
【００２７】
【図１】本発明の実施形態に係る可撓性チューブのクランプ装置を示す左側面図（非クランプ状態）
【図２】同上面図
【図３】同正面図
【図４】本発明の実施形態に係る可撓性チューブのクランプ装置を示す左側面図（クランプ状態）
【図５】本発明の実施形態に係る可撓性チューブのクランプ装置における係合部の拡大模式図
【図６】（ａ）従来の可撓性チューブのクランプ装置を示す上面図（ｂ）同左側面図（ｃ）同正面図
【符号の説明】
【００２８】
１    クランプ装置
２    一端部
３    第１凸部
４    他端部
５    第２凸部
６    中間部
７    係合部
【図１】
2006051083.tif 000003
【図２】
2006051083.tif 000004
【図３】
2006051083.tif 000005
【図４】
2006051083.tif 000006
【図５】
2006051083.tif 000007
【図６】
2006051083.tif 000008